(57)【特許請求の範囲】
【請求項１】
画像読み取り部を装備してある上部本体と、画像形成部を装備してある下部本体と、前記上部本体の下部と前記下部本体の上部とを連結する連結用本体とを設けて、前記上部本体の下面側と前記下部本体の上面側との間に、装置外側方に開口する排紙空間を形成してあり、
前記排紙空間の上下方向中間位置に排紙トレイを組み付けてあり、
前記排紙トレイには、その排紙トレイから上向きに突出するアーム部材と、そのアーム部材の上端部を前記上部本体側に対して下向きに係止させる係止部材とを備えた係止部を設けてあり、
前記排紙トレイを、前記連結用本体側に設けてある組み付け用ガイドに沿って装置外側方から前記排紙空間に向けて押し込むと共に、前記アーム部材の上端部を前記係止部材で前記上部本体側に対して下向きに係止させて、前記排紙空間の上下方向中間位置に組み付けてある画像形成装置であって、
前記上部本体には、前記係止部材を下向きに係止させる被係止部と、前記係止部材が前記被係止部に係止している係止部の排紙トレイ押し込み方向上手側への移動を、その係止部との接当により規制する規制部とを設けてあるとともに、
前記係止部又は前記規制部を、前記押し込み方向に対して交差する横方向に弾性変位自在に設けて、前記排紙トレイを前記組み付け用ガイドに沿って前記排紙空間に向けて押し込む操作で前記係止部が押し付けられることにより、前記係止部が前記規制部の横側部を前記押し込み方向下手側に向けて通過できるように、前記係止部又は前記規制部を前記横方向に弾性変位させるガイド部を設け、
前記係止部が前記規制部の横側部を前記押し込み方向下手側に向けて通過すると、前記係止部又は前記規制部を復帰変位させて、前記アーム部材を前記規制部と前記被係止部との間に入り込ませると共に、前記係止部材を前記被係止部に下向きに係止させるように構成してある画像形成装置。
【請求項２】
前記係止部を前記規制部に対して前記横方向に弾性変位自在に設けてあるとともに、前記排紙トレイを前記組み付け用ガイドに沿って前記排紙空間に向けて押し込む操作で前記係止部が押し付けられることにより、その係止部を前記横方向に弾性変位させる第１ガイド面を設けて、前記ガイド部を構成し、
前記規制部の横側部を通過した後の係止部の復帰変位により、前記アーム部材を前記規制部と前記被係止部との間に入り込ませると共に、前記係止部材を前記被係止部に下向きに係止させるように構成してある請求項１記載の画像形成装置。
【請求項３】
前記第１ガイド面の下端縁に、前記排紙トレイを前記組み付け用ガイドに沿って前記排紙空間に向けて押し込む操作で前記係止部が押し付けられることにより、その係止部を前記第１ガイド面に押し付けられるように移動可能な第２ガイド面を延設してある請求項２記載の画像形成装置。
【発明の詳細な説明】
【技術分野】
【０００１】
本発明は、画像読み取り部を装備してある上部本体と、画像形成部を装備してある下部本体と、前記上部本体の下部と前記下部本体の上部とを連結する連結用本体とを設けて、前記上部本体の下面側と前記下部本体の上面側との間に、装置外側方に開口する排紙空間を形成してあり、前記排紙空間の上下方向中間位置に排紙トレイを組み付けてあり、前記排紙トレイには、その排紙トレイから上向きに突出するアーム部材と、そのアーム部材の上端部を前記上部本体側に対して下向きに係止させる係止部材とを備えた係止部を設けてあり、前記排紙トレイを、前記連結用本体側に設けてある組み付け用ガイドに沿って装置外側方から前記排紙空間に向けて押し込むと共に、前記アーム部材の上端部を前記係止部材で前記上部本体側に対して下向きに係止させて、前記排紙空間の上下方向中間位置に組み付けてある画像形成装置に関する。
【背景技術】
【０００２】
画像読み取り部を装備してある上部本体と、画像形成部を装備してある下部本体と、上部本体の下部と下部本体の上部とを連結する連結用本体とを設けて、上部本体の下面側と下部本体の上面側との間に、装置外側方に開口する排紙空間を形成してあり、排紙空間の上下方向中間位置に排紙トレイを組み付けてある画像形成装置においては、排紙トレイに設けてある係止部に備えた係止部材を挿入する係止部材挿入孔と、その係止部材挿入孔に挿入した係止部材を排紙トレイ押し込み方向上手側から入り込ませて上部本体側に対して下向きに係止させる被係止孔とを上部本体の下面側に設けておき、排紙トレイを、連結用本体側に設けてある組み付け用ガイドに沿って装置外側方から排紙空間に向けて押し込むと共に、上部本体の下面側の排紙空間内に移動させた係止部材を係止部材挿入孔に上向きに挿入してから係止孔に入り込ませることにより、アーム部材の上端部を係止部材で上部本体側に対して下向きに係止させて、排紙空間の上下方向中間位置に組み付けてある（例えば、特許文献１参照）。
【０００３】
【特許文献１】特開２００４−３２３１６３号公報
【発明の開示】
【発明が解決しようとする課題】
【０００４】
このため、排紙トレイを排紙空間の上下方向中間位置に組み付けるにあたって、上部本体の下面側の排紙空間内に移動させた係止部材と係止部材挿入孔との相対位置を上部本体の下面側から覗き込んで確認しながら、係止部材を係止部材挿入孔に上向きに挿入する必要があり、排紙トレイの組み付け作業に手間が掛かる欠点がある。
本発明は上記実情に鑑みてなされたものであって、排紙トレイの組み付け作業を簡略化できるようにすることを目的とする。
【課題を解決するための手段】
【０００５】
本発明の第１特徴構成は、画像読み取り部を装備してある上部本体と、画像形成部を装備してある下部本体と、前記上部本体の下部と前記下部本体の上部とを連結する連結用本体とを設けて、前記上部本体の下面側と前記下部本体の上面側との間に、装置外側方に開口する排紙空間を形成してあり、前記排紙空間の上下方向中間位置に排紙トレイを組み付けてあり、前記排紙トレイには、その排紙トレイから上向きに突出するアーム部材と、そのアーム部材の上端部を前記上部本体側に対して下向きに係止させる係止部材とを備えた係止部を設けてあり、前記排紙トレイを、前記連結用本体側に設けてある組み付け用ガイドに沿って装置外側方から前記排紙空間に向けて押し込むと共に、前記アーム部材の上端部を前記係止部材で前記上部本体側に対して下向きに係止させて、前記排紙空間の上下方向中間位置に組み付けてある画像形成装置であって、
前記上部本体には、前記係止部材を下向きに係止させる被係止部と、前記係止部材が前記被係止部に係止している係止部の排紙トレイ押し込み方向上手側への移動を、その係止部との接当により規制する規制部とを設けてあるとともに、前記係止部又は前記規制部を、前記押し込み方向に対して交差する横方向に弾性変位自在に設けて、前記排紙トレイを前記組み付け用ガイドに沿って前記排紙空間に向けて押し込む操作で前記係止部が押し付けられることにより、前記係止部が前記規制部の横側部を前記押し込み方向下手側に向けて通過できるように、前記係止部又は前記規制部を前記横方向に相対的に弾性変位させるガイド部を設け、前記係止部が前記規制部の横側部を前記押し込み方向下手側に向けて通過すると、前記係止部又は前記規制部を復帰変位させて、前記アーム部材を前記規制部と前記被係止部との間に入り込ませると共に、前記係止部材を前記被係止部に下向きに係止させるように構成してある点にある。
【０００６】
〔作用及び効果〕
上部本体には、係止部材を下向きに係止させる被係止部と、係止部材が被係止部に係止している係止部の排紙トレイ押し込み方向上手側への移動を、その係止部との接当により規制する規制部とを設けてあるので、排紙トレイを、連結用本体側に設けてある組み付け用ガイドに沿って装置外側方から排紙空間に向けて押し込む操作で係止部の移動が規制部で阻止されて、排紙トレイを押し込めなくなる。
そこで、係止部又は規制部を、押し込み方向に対して交差する横方向に弾性変位自在に設けて、排紙トレイを組み付け用ガイドに沿って排紙空間に向けて押し込む操作で係止部が押し付けられることにより、係止部が規制部の横側部を押し込み方向下手側に向けて通過できるように、係止部又は規制部を横方向に弾性変位させるガイド部を設けてあるので、係止部又は規制部の横方向への弾性変位によって、係止部を規制部の横側部を押し込み方向下手側に向けて通過させることができる。
そして、係止部が規制部の横側部を押し込み方向下手側に向けて通過すると、係止部又は規制部を復帰変位させて、アーム部材を規制部と被係止部との間に入り込ませると共に、係止部材を被係止部に下向きに係止させるように構成してあるので、規制部と被係止部との間隔を、アーム部材を入りこませることができる最小限の間隔に設定してあっても、係止部材を被係止部に下向きに係止させることができる。
従って、排紙トレイを組み付け用ガイドに沿って排紙空間に向けて押し込む一連の操作で、上部本体の下面側の排紙空間内に移動させた係止部材の位置を特に確認することなく、アーム部材の上端部を係止部材で上部本体側に対して下向きに係止させて、排紙トレイを排紙空間の上下方向中間位置に組み付けることができ、排紙トレイの組み付け作業を簡略化できる。
その上、規制部と被係止部との間隔を、アーム部材を入りこませることができる最小限の間隔に設定してあっても、係止部材を被係止部に下向きに係止させることができるので、規制部と被係止部の間に入り込ませたアーム部材の押し込み方向でのがたつきを防止して、排紙トレイを安定した姿勢で組み付け易い。
【０００７】
本発明の第２特徴構成は、前記係止部を前記規制部に対して前記横方向に弾性変位自在に設けてあるとともに、前記排紙トレイを前記組み付け用ガイドに沿って前記排紙空間に向けて押し込む操作で前記係止部が押し付けられることにより、その係止部を前記横方向に弾性変位させる第１ガイド面を設けて、前記ガイド部を構成し、前記規制部の横側部を通過した後の係止部の復帰変位により、前記アーム部材を前記規制部と前記被係止部との間に入り込ませると共に、前記係止部材を前記被係止部に下向きに係止させるように構成してある点にある。
【０００８】
〔作用及び効果〕
係止部を規制部に対して横方向に弾性変位自在に設けてあるとともに、排紙トレイを組み付け用ガイドに沿って排紙空間に向けて押し込む操作で係止部が押し付けられることにより、その係止部を横方向に弾性変位させる第１ガイド面を設けて、ガイド部を構成してあるので、排紙トレイを組み付け用ガイドに沿って排紙空間に向けて押し込む操作で係止部が第１ガイド面に押し付けられると、その係止部が、規制部の横側部を押し込み方向下手側に向けて通過できるように横方向へ弾性変位する。
そして、規制部の横側部を通過した後の係止部の復帰変位により、アーム部材を規制部と被係止部との間に入り込ませると共に、係止部材を被係止部に下向きに係止させるように構成してあるので、規制部の横側部を通過した係止部の押し込み方向に対して交差する横方向への復帰変位で、アーム部材を規制部と被係止部との間に横方向から入り込ませると共に、係止部材を横方向から被係止部に下向きに係止させることができる。
従って、係止部材の被係止部に対する係止状態を排紙空間の横側方から確認し易い。
【０００９】
本発明の第３特徴構成は、前記第１ガイド面の下端縁に、前記排紙トレイを前記組み付け用ガイドに沿って前記排紙空間に向けて押し込む操作で前記係止部が押し付けられることにより、その係止部を前記第１ガイド面に押し付けられるように移動可能な第２ガイド面を延設してある点にある。
【００１０】
〔作用及び効果〕
第１ガイド面の下端縁に、排紙トレイを組み付け用ガイドに沿って排紙空間に向けて押し込む操作で係止部が押し付けられることにより、その係止部を第１ガイド面に押し付けられるように移動可能な第２ガイド面を延設してあるので、装置外側方から排紙空間に向けて押し込まれている排紙トレイの姿勢が下向きに変化していて、係止部を第１ガイド面に押し付けることができなくなっていても、係止部が第２ガイド面に対して上向きに押し付けられると、その係止部を第１ガイド面に押し付けられるように移動させることができる。
従って、装置外側方から排紙空間に向けて押し込まれている排紙トレイの姿勢が下向きに多少変化していても、係止部を第１ガイド面に押し付けることができように移動させ易く、排紙トレイを排紙空間の上下方向中間位置に組み付け易い。
【発明を実施するための最良の形態】
【００１１】
以下に本発明の実施の形態を図面に基づいて説明する。
図１は、本発明による画像形成装置の一例としての、静電複写機能とレーザプリンタ機能とファクシミリ機能とを備えた複合式画像形成装置を示し、画像読み取り部１や操作パネル２などを装備してある上部本体Ａと、画像形成部（図示せず）などを装備してある下部本体Ｂと、上部本体Ａの下部と下部本体Ｂの上部とを連結する連結用本体Ｃとを設けて、上部本体Ａの下面側と下部本体Ｂの上面側との間に、装置前面側と装置横面側とに亘って外側方に一連に開口する排紙空間Ｓを形成してある。
【００１２】
前記連結用本体Ｃは、上部本体Ａと下部本体Ｂの装置一側面側どうしを連結する側面連結部Ｃ１と、上部本体Ａと下部本体Ｂの装置背面側どうしを連結する背面連結部Ｃ２とを備えていて、排紙空間Ｓを略Ｌ字状に囲むように配設してある。
【００１３】
前記側面連結部Ｃ１には、排紙装置３を内装して、複写画像又は印刷画像を形成してある用紙を排紙空間Ｓの底部近くに排紙する下排紙口４と、ファクシミリにより受信した画像を形成してある用紙を排紙空間Ｓの上部近くに排紙する上排紙口５とを設け、下排紙口４から排紙される用紙を受け止める下排紙トレイ６と、上排紙口５から排紙される用紙を受け止める上排紙トレイ７とを設けてある。
【００１４】
前記下排紙トレイ６は、下部本体Ｂの上面で形成してあり、上排紙トレイ７は硬質樹脂材料で形成して、装置前面側の装置外側方から排紙空間Ｓに向けて略水平に押し込んで、排紙空間Ｓの上下方向中間位置に、側面連結部Ｃ１と背面連結部Ｃ２と上部本体Ａとに亘って組み付けてある。
【００１５】
前記上排紙トレイ７の組み付け構造を説明する。
前記上排紙トレイ７は、図２に示すように、装置前面側に配設される前縁部８と、側面連結部Ｃ１に組み付けられる略直線状の左側縁部９と、背面連結部Ｃ２に組み付けられる背縁部１０と、上部本体Ａに組み付けられる略直線状の右側縁部１１とを備え、左側縁部９と右側縁部１１は互いに略平行に形成してある。
【００１６】
前記前縁部８には把持部１２を一体形成してあり、左側縁部９には、後述するレール溝１３に入り込ませる断面形状がＬ字状のスライド部材１４を一体形成してあり、右側縁部１１には上部本体Ａに係止させる係止部１５を上向きに突出させて一体形成してある。
【００１７】
前記係止部１５は、上排紙トレイ７から上向きに突出するアーム部材１６と、そのアーム部材１６の上端部を上部本体Ａ側に対して下向きに係止させる係止部材１７とを一体に備え、アーム部材１６も係止部材１７も、板面が上下方向に沿い、かつ、右側縁部１１に沿う板状に形成してある。
【００１８】
前記アーム部材１６は、図４，図７〜図１０に示すように、上排紙トレイ７と一体の側面視で略台形の基板部１６ａと、その基板部１６ａの上端に側面視で略矩形の頂板部１６ｂとを備えた形状に形成してあり、係止部材１７は、頂板部１６ｂから背縁部１０側に向けて突出する矩形板状に一体形成してあり、アーム部材１６を板厚み方向に弾性変形させて、係止部１５を上排紙トレイ７の押し込み方向に対して略垂直に交差する横方向（以下、単に横方向という。）に弾性変位自在に設けてある。
【００１９】
前記側面連結部Ｃ１の排紙空間Ｓに臨む部位には、図３に示すように、上排紙トレイ７の左側縁部９を組み付けるための横断面形状がＬ字状のレール溝１３を形成してある組み付け用ガイド１９を設けてあり、上部本体Ａの下面側には、図４に示すように、係止部１５を係止させて上排紙トレイ７の右側縁部１１を支持するための硬質樹脂製のトレイ支持部材２０を取り付けてある。
【００２０】
そして、図５に示すように、左側縁部９のスライド部材１４をレール溝１３に入り込ませて、上排紙トレイ７を組み付け用ガイド１９に沿って装置外側方から排紙空間Ｓに向けて押し込むと共に、図４，図９に示すように、アーム部材１６の上端部をトレイ支持部材２０に係止させた係止部材１７で上部本体Ａ側に対して下向きに係止させて、上排紙トレイ７を排紙空間Ｓの上下方向中間位置に組み付けてある。
【００２１】
前記トレイ支持部材２０は、図４，図６に示すように、上下方向に沿わせて上部本体Ａに取り付ける取り付け基板２１の一側面側に、係止部材１７を下向きに係止させる被係止部２２と、係止部材１７が被係止部２２に係止している係止部１５の排紙トレイ押し込み方向上手側への移動を、その係止部１５との接当により規制する規制部２３と、上部本体Ａの下面側に係止固定させる固定部２８とを一体に備えている。
【００２２】
前記被係止部２２は、取り付け基板２１に対して略垂直に形成した板状部分で構成して、取り付け基板２１の上側外周鍔部２４と被係止部２２との間に、係止部材１７を横方向から入り込ませて下向きに係止させるように構成してある。
【００２３】
前記規制部２３は、その規制部２３と被係止部２２との間にアーム部材１６の頂板部１６ｂが入り込むだけの間隔を隔てて、被係止部２２の排紙トレイ押し込み方向上手側に設けてあり、排紙トレイ押し込み方向上手側の面には、図７に示すように、上排紙トレイ７を組み付け用ガイド１９に沿って排紙空間Ｓに向けて押し込む操作で係止部１５が押し付けられることにより、図８に示すように、その係止部１５が規制部２３の横側部を押し込み方向下手側に向けて通過できるように、アーム部材１６を弾性変形させて、係止部１５を横方向に弾性変位させるガイド部２５を設けてある。
【００２４】
前記ガイド部２５は、上排紙トレイ７を組み付け用ガイド１９に沿って排紙空間Ｓに向けて押し込む操作で係止部１５が押し付けられることにより、その係止部１５を横方向に弾性変位させる第１ガイド面２６を設けてあるとともに、図１０に示すように、上排紙トレイ７を組み付け用ガイド１９に沿って排紙空間Ｓに向けて押し込む操作で係止部１５に上向きに押し付けられることにより、その係止部１５を第１ガイド面２６に押し付けられるように移動可能な第２ガイド面２７を、第１ガイド面２６の下端縁に連続的に延設してある。
【００２５】
そして、係止部１５がその弾性変位で規制部２３の横側部を押し込み方向下手側に向けて通過すると、図９に示すように、係止部１５を復帰変位させて、アーム部材１６を規制部２３と被係止部２２との間に入り込ませると共に、係止部材１７を被係止部２２に下向きに係止させるように構成してある。
【００２６】
また、第１ガイド面２６の下端縁に第２ガイド面２７を延設してあるので、装置外側方から排紙空間Ｓに向けて押し込まれている上排紙トレイ７の姿勢が下向きに変化していて、係止部１５を第１ガイド面２６に押し付けることができなくなっていても、係止部１５が第２ガイド面２７に対して上向きに押し付けられると、その係止部１５を第１ガイド面２６に押し付けられるように移動させて、係止部１５が規制部２３の横側部を押し込み方向下手側に向けて通過できるように、係止部１５を横方向に弾性変位させ易い。
【００２７】
〔その他の実施形態〕
１．本発明による画像形成装置は、係止部のみ、或いは、係止部と規制部との双方、或いは、規制部のみを押し込み方向に対して交差する横方向に弾性変位自在に設けて、排紙トレイを組み付け用ガイドに沿って排紙空間に向けて押し込む操作で係止部が押し付けられることにより、係止部が規制部の横側部を前記押し込み方向下手側に向けて通過できるように、係止部と規制部との双方、或いは、規制部のみを横方向に弾性変位させるガイド部を設け、係止部が規制部の横側部を前記押し込み方向下手側に向けて通過すると、係止部と規制部との双方、或いは、規制部のみを復帰変位させて、アーム部材を規制部と被係止部との間に入り込ませると共に、係止部材を被係止部に下向きに係止させるように構成してあっても良い。
２．本発明による画像形成装置は、被係止部と規制部とガイド部とを各別に取り付けてあっても良い。
３．本発明による画像形成装置は、静電複写機能又はレーザプリンタ機能又はファクシミリ機能のいずれか一つの機能を備えた単機能の画像形成装置であっても良い。
【図面の簡単な説明】
【００２８】
【図１】画像形成装置の斜視図
【図２】要部の斜視図
【図３】要部の断面図
【図４】要部の斜視図
【図５】要部の斜視図
【図６】要部の斜視図
【図７】（イ）要部の正面図  （ロ）要部の側面図
【図８】（イ）要部の正面図  （ロ）要部の側面図
【図９】（イ）要部の正面図  （ロ）要部の側面図
【図１０】（イ）要部の正面図  （ロ）要部の側面図
【符号の説明】
【００２９】
１  画像読み取り部
７  排紙トレイ
１５  係止部
１６  アーム部材
１７  係止部材
１９  組み付け用ガイド
２２  被係止部
２３  規制部
２５  ガイド部
２６  第１ガイド面
２７  第２ガイド面
Ａ  上部本体
Ｂ  下部本体
Ｃ  連結用本体
Ｓ  排紙空間
【図１】
0004944703.tif 000002
【図２】
0004944703.tif 000003
【図３】
0004944703.tif 000004
【図４】
0004944703.tif 000005
【図５】
0004944703.tif 000006
【図６】
0004944703.tif 000007
【図７】
0004944703.tif 000008
【図８】
0004944703.tif 000009
【図９】
0004944703.tif 000010
【図１０】
0004944703.tif 000011